(57)【要約】【課題】観測プローブの交換や、観測プローブのチューニングなどの作業中、作業者や道具類などが、超伝導磁石や防振台に直接接触することがなく、作業者や道具などから発生する機械的振動が核磁気共鳴スペクトル上のノイズとなって現れることのない核磁気共鳴装置を提供する。【解決手段】床からの振動を減衰、絶縁する防振台と、該防振台上に設置された超伝導磁石と、前記防振台や超伝導磁石と接触しないように、防振台の上方を跨いで床の上に架設された覆いとを備えた。【選択図】  図２
2004184144.tif 000002
【特許請求の範囲】
【請求項１】
床からの振動を減衰、絶縁する防振台と、
該防振台上に設置された超伝導磁石と、
前記防振台や超伝導磁石と接触しないように、防振台の上方を跨いで床の上に架設された覆いと
を備えたことを特徴とする核磁気共鳴装置。
【請求項２】
前記覆いは、防振台全体を覆っている板状体であることを特徴とする請求項１記載の核磁気共鳴装置。
【請求項３】
前記覆いは、防振台の一部を覆っている板状体であることを特徴とする請求項１記載の核磁気共鳴装置。
【請求項４】
前記覆いは、防振台を跨いで架橋された棒状体であることを特徴とする請求項１記載の核磁気共鳴装置。
【請求項５】
前記覆いは、作業者が作業可能な作業用足場であることを特徴とする請求項１、２、３、または４記載の核磁気共鳴装置。
【請求項６】
前記覆いは、物置台であることを特徴とする請求項１、２、３、または４記載の核磁気共鳴装置。
【発明の詳細な説明】
【０００１】
【発明の属する技術分野】
本発明は、核磁気共鳴装置に関し、より詳しくは、床の振動が超伝導磁石に伝わることを防止する防振台を備えた核磁気共鳴装置に関する。
【０００２】
【従来の技術】
核磁気共鳴測定法は、現在、医学、薬学、化学、生命科学、材料科学などの現場で、分析手法として、広く利用されている。そして、核磁気共鳴スペクトルの感度と分解能を高めるために、静磁場の発生手段として、強い均一磁場を簡単に得ることができる超伝導磁石を用いることが一般的になっている。
【０００３】
ところが、核磁気共鳴装置は、高磁場化、高感度化が進むにつれ、外部の機械的な振動が超伝導磁石を介してプローブに伝わり、スペクトル上のノイズとなって現れるという現象が起こりやすくなる。このため、従来より、床の振動が超伝導磁石に伝わるのを防ぐため、防振台を備えた核磁気共鳴装置が提案されている（例えば、特許文献１〜３参照）。
【０００４】
【特許文献１】
特開２０００−２３０６０４号公報
【特許文献２】
特開２００１−１４５６１１号公報
【特許文献３】
特開２００２−１７７２４１号公報
このようなタイプの核磁気共鳴装置では、数トンにも及ぶ重量物である超伝導磁石を、建造物の床から伝わる機械的な振動を効率良く減衰、絶縁するダンパーを備えた防振台上に載せて設置することにより、外界から機械的な振動が超伝導磁石に伝わるのを遮断していた。
【０００５】
【発明が解決しようとする課題】
ところが、核磁気共鳴装置では、一般に、観測プローブが超伝導磁石の空芯部に挿入されているため、観測プローブを別の観測プローブと交換したり、観測プローブのチューニング作業を行なったりする際には、作業者が、防振台の上に上がって作業を行なわざるを得ないことが多かった。
【０００６】
図１は、従来の核磁気共鳴装置での、作業のようすを示したものである。図中１は、超伝導磁石である。超伝導磁石１は、ダンパー等で床からの振動が減衰、絶縁された防振台２の上に載せられている。超伝導磁石１の空芯部には、観測プローブ４が挿入されている。作業者３は、観測プローブ４の交換や、観測プローブ４のチューニングを行なう際には、体を支えるため、防振台２の上に上がって作業を行なっている。
【０００７】
このように、従来の核磁気共鳴装置では、超伝導磁石１や防振台２の他には作業者３の体を支えるものがなく、また、作業時に使用する道具類を置く場所もないため、作業者３や道具類が超伝導磁石１や防振台２に接触し、発生する機械的振動が超伝導磁石１内の観測プローブ４にも伝わって、核磁気共鳴スペクトル上のノイズとなって現れることが多かった。
【０００８】
本発明の目的は、上述した点に鑑み、観測プローブ４の交換や、観測プローブ４のチューニングなどの作業中、作業者３や道具などが、超伝導磁石１や防振台２に直接接触することがなく、作業者３や道具類などから発生する機械的振動が核磁気共鳴スペクトル上のノイズとなって現れることのない核磁気共鳴装置を提供することにある。
【０００９】
【課題を解決するための手段】
この目的を達成するため、本発明にかかる核磁気共鳴装置は、
床からの振動を減衰、絶縁する防振台と、
該防振台上に設置された超伝導磁石と、
前記防振台や超伝導磁石と接触しないように、防振台の上方を跨いで床の上に架設された覆いと
を備えたことを特徴としている。
【００１０】
また、前記覆いは、防振台全体を覆っている板状体であることを特徴としている。
【００１１】
また、前記覆いは、防振台の一部を覆っている板状体であることを特徴としている。
【００１２】
また、前記覆いは、防振台を跨いで架橋された棒状体であることを特徴としている。
【００１３】
また、前記覆いは、作業者が作業可能な作業用足場であることを特徴としている。
【００１４】
また、前記覆いは、物置台であることを特徴としている。
【００１５】
【発明の実施の形態】
以下、図面を参照して、本発明の実施の形態を説明する。図２は、本発明にかかる核磁気共鳴装置の一実施例を示したものである。本実施例では、超伝導磁石１、防振台２、観測プローブ４など、核磁気共鳴装置を構成する主要な構成要素は、従来の技術と同じである。
【００１６】
本発明において、従来の技術と異なる要素は、超伝導磁石１や防振台２と直接接触しないように、防振台２の上方を跨いで床の上に架設された覆い５である。この覆い５は板状であり、超伝導磁石１の脚部の本数と位置に合わせて、超伝導磁石１の脚部を通すための穴が設けられている。そして、作業者が不用意に防振台２に接触しないように、板状の覆い５は、防振台２全体を上から覆っている。これにより、覆い５は、超伝導磁石１の脚部にも、防振台２にも、直接触れることなく、作業者に安定した作業用の足場と、道具類を置く物置台とを提供することができる。作業者が作業時に出す機械的振動は、超伝導磁石１にも、防振台２にも、観測プローブ４にも伝わらず、核磁気共鳴スペクトル上にノイズが発生する恐れはない。
【００１７】
図３は、本発明にかかる核磁気共鳴装置の別の実施例を示したものである。本実施例でも、超伝導磁石１、防振台２、観測プローブ４など、核磁気共鳴装置を構成する主要な構成要素は、従来の技術と同じである。
【００１８】
本発明において、従来の技術と異なる要素は、超伝導磁石１や防振台２と直接接触しないように、防振台２の上方を跨いで床の上に架設された覆い６である。この覆い６は板状であり、方形をした防振台２の一角を跨いで、防振台２の一部を上から覆っている。Ａ−Ａ断面図に示すように、覆い６は、超伝導磁石１の脚部にも、防振台２にも、直接触れることがないので、作業者に安定した作業用の足場と、道具類を置く物置台とを提供することができる。作業者が作業時に出す機械的振動は、超伝導磁石１にも、防振台２にも、観測プローブ４にも伝わらず、核磁気共鳴スペクトル上にノイズが発生する恐れはない。
【００１９】
図４は、本発明にかかる核磁気共鳴装置の別の実施例を示したものである。本実施例でも、超伝導磁石１、防振台２、観測プローブ４など、核磁気共鳴装置を構成する主要な構成要素は、従来の技術と同じである。
【００２０】
本発明において、従来の技術と異なる要素は、超伝導磁石１や防振台２と直接接触しないように、防振台２の上方を跨いで床の上に架設された覆い７である。この覆い７は板状であり、中心に円状の穴部を有する方形の防振台２の外側と穴部とを跨いで、防振台２の一部を上から覆っている。これにより、覆い７は、超伝導磁石１の脚部にも、防振台２にも、直接触れることなく、作業者に安定した作業用の足場と、道具類を置く物置台とを提供することができる。作業者が作業時に出す機械的振動は、超伝導磁石１にも、防振台２にも、観測プローブ４にも伝わらず、核磁気共鳴スペクトル上にノイズが発生する恐れはない。
【００２１】
図５は、本発明にかかる核磁気共鳴装置の別の実施例を示したものである。本実施例でも、超伝導磁石１、防振台２、観測プローブ４など、核磁気共鳴装置を構成する主要な構成要素は、従来の技術と同じである。
【００２２】
本発明において、従来の技術と異なる要素は、超伝導磁石１や防振台２と直接接触しないように、防振台２の上方を跨いで床の上に架設された覆い８である。この覆い８は棒状であり、中心に円状の穴部を有する方形の防振台２の外側と穴部と外側とを跨いで、防振台２の上の架橋されている。これにより、作業者は、超伝導磁石の両側から観測プローブ４に近づくことができるだけでなく、覆い８は、超伝導磁石１の脚部にも、防振台２にも、直接触れることなく、作業者に安定した作業用の足場と、道具類を置く物置台とを提供することができる。作業者が作業時に出す機械的振動は、超伝導磁石１にも、防振台２にも、観測プローブ４にも伝わらず、核磁気共鳴スペクトル上にノイズが発生する恐れはない。
【００２３】
【発明の効果】
以上述べたごとく、本発明にかかる核磁気共鳴装置によれば、床からの振動を減衰、絶縁する防振台と、該防振台上に設置された超伝導磁石と、前記防振台や超伝導磁石と接触しないように、防振台の上方を跨いで床の上に架設された作業用足場とを備え、作業者がその作業用足場の上で作業を行なうようにしたので、作業時に、超伝導磁石や防振台に振動を与えることがなく、核磁気共鳴スペクトル上にノイズを発生させることがなくなった。また、作業者が、作業時に使用する道具類を、手近に置くことが可能になったため、作業効率が向上した。また、作業者が、超伝導磁石に機械的な振動を与えないため、超伝導磁石がクエンチを起こす危険性も低くなった。
【図面の簡単な説明】
【図１】従来の核磁気共鳴装置を示す図である。
【図２】本発明にかかる核磁気共鳴装置の一実施例を示す図である。
【図３】本発明にかかる核磁気共鳴装置の別の実施例を示す図である。
【図４】本発明にかかる核磁気共鳴装置の別の実施例を示す図である。
【図５】本発明にかかる核磁気共鳴装置の別の実施例を示す図である。
【符号の説明】
１・・・超伝導磁石、２・・・防振台、３・・・作業者、４・・・観測プローブ、５・・・覆い（作業用足場、または物置台）、６・・・覆い（作業用足場、または物置台）、７・・・覆い（作業用足場、または物置台）、８・・・覆い（作業用足場、または物置台）。
【図１】
2004184144.tif 000003
【図２】
2004184144.tif 000004
【図３】
2004184144.tif 000005
【図４】
2004184144.tif 000006
【図５】
2004184144.tif 000007